(57)【要約】【課題】  本発明は、画像を効率的に検索、閲覧できる撮像装置を提供することを目的とする。【構成】  本発明における撮像装置は、撮像素子２１と、複数の画像ファイルを記憶する記憶媒体２９と、記憶媒体２９に記憶されている複数の画像ファイルを所定の条件に合致する画像ファイルを抽出する制御部２０とを具備する。【選択図】図２
2006311091.tif 000002
【特許請求の範囲】
【請求項１】
撮像素子と、
複数の画像ファイルを記憶する記憶媒体と、
前記記憶媒体に記憶されている複数の画像ファイルを所定の条件に合致する画像ファイルを抽出する制御部とを具備することを特徴とする撮像装置。
【請求項２】
請求項１に記載の撮像装置において、
前記所定の条件とは、画像ファイルが撮像された期間であることを特徴とする撮像装置。
【発明の詳細な説明】
【技術分野】
【０００１】
撮像装置に関する
【背景技術】
【０００２】
従来より、パーソナルコンピューターにおいて所望のファイルを検索するために、ファイル名等を検索キーワードとして検索するものがある。
【発明の開示】
【発明が解決しようとする課題】
【０００３】
しかし、しかしデジタルカメラ等のポータブル撮像装置においては、入力操作部材がかぎられるため検索キーワード等を入力は困難であり。
本発明は、画像を効率的に検索、閲覧できる撮像装置を提供することを目的とする。
【課題を解決するための手段】
【０００４】
本発明における撮像装置は、撮像素子と、複数の画像ファイルを記憶する記憶媒体と、
前記記憶媒体に記憶されている複数の画像ファイルを所定の条件に合致する画像ファイルを抽出する制御部とを具備する。
【発明の効果】
【０００５】
本発明における撮像装置は画像を効率的に検索、閲覧できる
【発明を実施するための最良の形態】
【０００６】
発明を適用した実施の形態におけるデジタルカメラ１について、図面を基に説明する。
デジタルカメラ１の斜視図を図１に示す。デジタルカメラ１は、レンズ一体型デジタルカメラである。
【０００７】
＜構成＞
デジタルカメラ１のカメラボディ上面には電源釦２、レリーズ釦３が配置されている。またカメラボディ背面には、モード切換スイッチ４、ズームスイッチ５、ファンクション釦６、リングセンサ７、決定釦８、メニュー釦９、削除釦１０、背面液晶１１が配置されている。側面には入出力端子１２が配置されている。
【０００８】
モード切換スイッチ４はスライド式の切換スイッチであり、本実施の形態ではカメラの動作モードの切換時に用いられる。ズームスイッチ５は、周知のワイドスイッチ（Wスイッチ）とテレスイッチ（Tスイッチ）の２つのスイッチからなる複合スイッチであり、撮像ズームレンズのズーム倍率を変更する際等に用いられる。ファインクション釦６は、各カメラの動作モードで実行するファンクションメニューを表示するためのスイッチである。リングセンサ７は、圧力の変化を感知する圧力感知式のリング状タッチセンサが配置されたものであり、該センサを指等で時計回り（以後、右回りとする）又は半時計回り（以後、左回りとする）に操作する（なぞる）ことにより、メニューの選択表示や、選択されたAFエリアの選択表示等の選択項目の選択状態を示す選択枠等の表示をスクロール移動させる。
【０００９】
なお、リングセンサ７は、圧力感知式のリング状タッチセンサとしたが、リング形状に沿った回転操作を感知するものであればこれに限るものではない。例えば、リングセンサの素材を静電気による電気信号を感知する静電式のリング状タッチセンサとしても良く、また、リング状で回転可能に設置された回転ダイアルスイッチや、リング状にセンサもしくはスイッチを少なくとも４個以上配置したもの等でも良い。
【００１０】
リングセンサ７の下には押圧式のスイッチである上釦７a、下釦７ｂ、左釦７ｃ、右釦７ｄが配置されている。メニュー釦９は、デジタルカメラ１の動作設定を行うためのメニュー画面を背面液晶１１に表示させるためのスイッチである。釦削除１０は画像表示モードの際に背面液晶１１に選択表示されている撮像済み画像を削除するためのスイッチである。
【００１１】
入出力端子１２は、パーソナルコンピューター（以後PCとする）、プリンター等の外部機器と通信可能とするための接続ケーブルが接続される入出力端子である。本実施の形態におけるデジタルカメラ１では、入出力端子１２はUSB端子である。
【００１２】
＜ブロック＞
以下、本実施の形態におけるデジタルカメラ１の構成部材での基本的な処理についてブロック図を基に説明する。デジタルカメラ１のブロック図を図２に示す。
【００１３】
＜制御部＞
制御部２０は、ＣＰＵ等を含み上記接続された部材をコントロールする。
＜撮像及び画像処理＞
撮像素子２１は、不図示の撮像レンズにより結像した被写体像を電気信号に変換するＣＣＤやＣＭＯＳ等の固体撮像素子である。撮像素子２１は、制御部２０等の制御により、画像信号の読み出し等の制御や、電子シャッターの制御駆動等が行われる。撮像素子２１から読み出された画像信号は画像処理部２２に送られる。画像処理部２２は画像信号に対し、ノイズ除去、Ａ／Ｄ変換、色補間処理、サイズ変更、符号化等の処理を必要に応じて行い、背面液晶１１に表示する表示用画像データや、記録用画像データ等を作成する。該記録用画像データは大容量記憶媒体２９に記憶され、表示用画像データは液晶制御部２３により背面液晶部２４に表示される。なお、記録用画像データを、ＥＥＰＲＯＭ２７や外部メモリ２８等に記憶するとしても良い。
【００１４】
＜記録処理＞
ＲＡＭ２５は、制御部２０及び画像処理部２２等が処理を行う際にデータの一時的な保存場所などに利用される。ＲＯＭ２６は、デジタルカメラ１の作動に必要なプログラム、該プログラムに使用する初期値等が保存されている。ＥＥＰＲＯＭ２７は、デジタルカメラ１の電源がＯＦＦされても記録情報を保持する内蔵フラッシュメモリである。ＥＥＰＲＯＭ２７には、デジタルカメラ１のユーザー設定やカスタム設定等の情報を記録する。外部メモリ２８は、記録用画像データ等を保存するための着脱可能なメモリーカードである。大容量記憶媒体２９は、画像データ等が保存可能な、ハードディスクドライブである。なお、大容量記憶媒体２９としては、DVD等の光ディスクやフラッシュメモリ等の記憶媒体であっても良い。
【００１５】
＜大容量記憶媒体２９の記憶構造＞
大容量記憶媒体２９に記憶される画像データは、DCF (Design rule for Camera File system)規格にのっとった構成となり、大容量記憶媒体２９のルートディレクトリに設けられたDCIMフォルダ（DCFイメージルートディレクトリ）内に設けられたｙ_ABCDフォルダ（DCFディレクトリ、ただしｙ＝１００〜９９９）内に記憶される。なお、DCFディレクトリはDCFイメージルートディレクトリに複数設けることができ、例えば、後述するパーソナルコンピューターから画像が転送されると、新たにｙ_COPYフォルダが作成され、該y_COPYフォルダ内に転送画像が記憶される。
【００１６】
また、大容量記憶媒体のルートディレクトリにはアルバム情報を記憶するALBAMフォルダや、検索結果が記された検索管理ファイルを記憶するHISTフォルダ、転送情報を記憶するTRANSフォルダが設けられている。
＜入出力処理＞
入出力部３１は、入出力端子１２等を含み、該入出力端子１２と接続ケーブルで接続されたパーソナルコンピューター（以下PCと略す）等の外部機器と画像データ等のデータを通信する。
【００１７】
＜計時部＞
なお、デジタルカメラ１には、不図示の計時手段が設けられており、撮像され大容量記憶媒体２９に記憶される画像ファイルのヘッダ領域に、該撮像された時間を記録可能である。
【００１８】
＜画像表示処理＞
液晶制御部２３は、制御部２０の指令により送られた表示用画像データを背面液晶部２４へ表示させる。背面液晶部２４は背面液晶１１およびドライバを含む。
【００１９】
＜操作部＞
操作部３０は、電源釦２、レリーズ釦３、動作モード切換スイッチ４、ズームスイッチ５、ファンクション釦６、リングセンサ７、決定釦８、メニュー釦９削除釦１０等を含む。
【００２０】
＜カメラのメイン処理＞
以下デジタルカメラ１の動作について説明する。
本実施の形態におけるデジタルカメラ１は、ユーザーが設定した撮像処理条件により静止画像の撮像動作及び撮像画像の処理を行う静止画撮影モード、動画像の撮像動作及び撮像画像の処理を行う動画撮影モード、背面液晶部２４に表示されたメニュー画面を見ながら各種機能の設定を行うメニューモード、背面液晶部２４に撮影済みの記録用画像データ等を表示させる画像表示モードを持つ。またカメラの電源がONされた際に接続端子１２が接続ケーブルによりPC等と接続されている際には、転送処理が行なわれる。各動作モードの切り換えは動作モード切換スイッチ４により切換られる。メニューモードについては周知の処理であるため説明を省く。
【００２１】
＜デジタルカメラ１のメインフロー＞
デジタルカメラ１のメイン処理のフローを図３に示す。
デジタルカメラ１の電源がONされると、まずステップS１１で、撮像素子２１、画像処理部２２、液晶制御部２３、制御部２０等の電気処理回路の起動処理が行なわれる。
【００２２】
次にステップS１２では、接続端子１２に接続ケーブルを介してPCが接続されているか否かの判定が行われる。接続端子１２にPCが接続されている場合はステップS１３へ移り、
接続端子１２にPCが接続されていない場合はステップS１４へ移る。ステップS１３では転送処理サブルーチンにより、PCへのファイル送信処理又はPCからのファイルの受信処理が行なわれる。転送処理サブルーチンについては詳述する。
【００２３】
ステップS１４〜S１６では現在どの動作モードに設定されているかが判定される。
動作モードが静止画撮像モードである場合は、ステップS１４で肯定されステップS１７の静止画撮像処理サブルーチンへ移る。動作モードが動画撮影モードである場合は、ステップS１４で否定、ステップS１５で肯定されステップS１８の動画撮像処理サブルーチンへ移る。動作モードが画像表示モードである場合は、ステップS１４で否定、ステップS１５で否定、ステップS１６で肯定されステップS１９の画像表示処理サブルーチンへ移る。
動作モードがメニューモードである場合は、ステップS１４で否定、ステップS１５で否定、ステップS１６で否定されステップS２０のメニュー表示処理へ移る。  ステップS１７、S１８、S１９、S２０での処理が終了するとステップS２１へ移る。
【００２４】
ステップS２１では電源釦２が押圧操作されたか否かが判定される。電源釦２が押圧操作された場合は、電気処理回路等の終了処理を行ないデジタルカメラ１の電源をOFFし、電源釦２が押圧操作されていない場合はステップS１２へ戻る。
【００２５】
＜静止画撮影モード＞
静止画撮像モードでは、レリーズ釦３の半押操作により、被写体輝度値を検出し、該輝度値に基づき、シャッター速度や絞り地等の露出値の決定が行なわれる。また露出値の決定と共に、不図示の撮像レンズ系の被写体への焦点状態を調整するの合焦処理等の撮像準備処理も行われる。レリーズ釦３の半押操作に続いて、レリーズ釦３が全押操作されると、撮像素子２１は、制御部２０等の制御により、画像信号の読み出し等の制御や、電子シャッターの制御駆動等が行われる。撮像素子２１から読み出された画像信号は画像処理部２２に送られる。画像処理部２２に送られた画像信号は、ノイズ除去、Ａ／Ｄ変換、色補間処理、サイズ変更、符号化等の処理が必要に応じて行われ、背面液晶１１に表示する表示用画像データや、記録用画像データ等へ変換される。なお、本実施の形態におけるデジタルカメラ１では、記録用画像データがJPEGで圧縮される。該記録用画像データは大容量記憶媒体２９に、ファイル名「DSCNｘ.JPG」(ただし、ｘ=0〜9999)として記憶される。また、記録された記録用画像データのファイル名およびファイルパスは転送ファイルAに記録される。なお転送ファイルAは、後述する転送処理の際にパーソナルコンピューターへ転送する画像ファイルを記載したリストファイルである。表示用画像データは液晶制御部２３により背面液晶部２４に表示される。なお、記録用画像データを、ＥＥＰＲＯＭ２７や外部メモリ２８等に記憶するとしても良い。
【００２６】
＜静止画撮像処理のフロー＞
静止画撮像処理サブルーチンでの処理のフローを図４に示す。
静止画撮像処理に入ると、ステップS３０でレリーズ釦３が半押操作されたか否かの判定が行なわれる。レリーズ釦３が半押操作された場合はステップS３２へ移り、レリーズ釦３が半押操作されていない場合はステップS３１へ移る。ステップS３１では、動作モードが変更された又は電源釦２が押圧操作されたか否かの判定が行なわれる。動作モードが変更された又は電源釦２が押圧操作された場合は静止画撮像処理を終了し、動作モードが変更されていない且つ電源釦２が押圧操作されていない場合は、ステップS３０へ戻る。
【００２７】
ステップS３２では、露出値の決定および合焦処理が行なわれる。ステップS３３ではレリーズ釦３が全押操作されたか否かの判定が行なわれる。レリーズ釦３が全押操作された場合はステップS３４へ移り、レリーズ釦３が全押操作されていない場合はステップS３０へ戻る。
【００２８】
ステップS３４では、ステップS３２で設定した露出値を基に、被写体像の撮像処理および画像処理が行なわれる。ステップS３５では、ステップS３２で画像処理された記録用静止画像データを大容量記憶媒体２９に記憶する。なお、記録される静止画像データのヘッダ領域には、計時部より取得した日時が記憶される。ステップS３６では、動作モードが変更された又は電源釦２が押圧操作されたか否かの判定が行なわれる。動作モードが変更された又は電源釦２が押圧操作された場合は静止画撮像処理を終了し、動作モードが変更されていない且つ電源釦２が押圧操作されていない場合は、ステップS３０へ戻る。
【００２９】
＜動画撮影モード＞
動画撮像モードでは、レリーズ釦３の半押操作により、シャッター速度や絞り地等の露出値の決定および被写体への合焦処理等の撮像準備処理が行われる。レリーズ釦３の半押操作に続いて、レリーズ釦３が全押操作されると、撮像素子２１は、制御部２０等の制御により、定期的（３０フレーム/秒）に電子シャッターの制御駆動および画像信号の読み出し等が行われる。撮像素子２１から読み出された画像信号は画像処理部２２に送られる。画像処理部２２に送られた画像信号は、ノイズ除去、Ａ／Ｄ変換、色補間処理、サイズ変更、符号化等の処理が必要に応じて行われ、背面液晶１１に表示する表示用動画像データや、記録用動画像データ等へ変換される。なお、本実施の形態におけるデジタルカメラ１では、記録用動画像データがモーションJPEGで圧縮される。再度レリーズ釦３が全押操作されると動画撮像処理が終了し、該記録用動画像データは大容量記憶媒体２９に、ファイル名「DSCNｘ.MJPG」(ただし、ｘ=0〜9999)として記憶される。表示用動画像データは液晶制御部２３により背面液晶部２４に動画像として表示される。なお、記録用動画像データを、ＥＥＰＲＯＭ２７や外部メモリ２８等に記憶するとしても良い。
【００３０】
＜動画撮像処理のフロー＞
動画撮像処理サブルーチンでの処理のフローを図５に示す。
静止画撮像処理に入ると、ステップS４０でレリーズ釦３が半押操作されたか否かの判定が行なわれる。レリーズ釦３が半押操作された場合はステップS４２へ移り、レリーズ釦３が半押操作されていない場合はステップS４１へ移る。ステップS４１では、動作モードが変更された又は電源釦２が押圧操作されたか否かの判定が行なわれる。動作モードが変更された又は電源釦２が押圧操作された場合は静止画撮像処理を終了し、動作モードが変更されていない且つ電源釦２が押圧操作されていない場合は、ステップS４０へ戻る。
【００３１】
ステップS４２では、露出値の決定および合焦処理が行なわれる。ステップS４３ではレリーズ釦３が全押操作されたか否かの判定が行なわれる。レリーズ釦３が全押操作された場合はステップS４４へ移り、レリーズ釦３が全押操作されていない場合はステップS４０へ戻る。
【００３２】
ステップS４４では、ステップS４２で設定した露出値を基に、被写体像の撮像処理および画像処理が所定間隔（３０フレーム/秒）で行なわれる動画撮像処理が開始される。作成された記録用動画像ファイルは、動画像ファイルとして随時RAM３５および大容量記憶媒体２９に記憶される。なお、記録される動画像データのヘッダ領域には、計時部より取得した日時が記憶される。ステップS４５では、レリーズ釦３が全押操作されたか否かが判定される。レリーズ釦３が押圧操作された場合は、上記ステップS４４で開始した動画像撮像処理を停止する。ステップS４７では、動作モードが変更された又は電源釦２が押圧操作されたか否かの判定が行なわれる。動作モードが変更された又は電源釦２が押圧操作された場合は静止画撮像処理を終了し、動作モードが変更されていない且つ電源釦２が押圧操作されていない場合は、ステップS４０へ戻る。
【００３３】
＜画像表示モード＞
画像表示モードは、大容量記憶媒体２９に記録された記録済み画像データを背面液晶１１に表示するモードである。本実施の形態におけるデジタルカメラ１の画像表示モードには、撮像済み画像を背面液晶１１に1コマ表示する１コマ表示モードと、撮像済み画像を背面液晶１１に４コマ表示する４コマ表示モードと、アルバムに登録された画像を表示するアルバムモード、撮像済み画像データを所定の条件の画像を検索し、検索画像を表示する検索モードが設けられている。
【００３４】
＜再生モードの切換処理＞
上述した画像再生モードのうち、１コマ表示モード、４コマ表示モードの切替えは、動作モードが画像表示モードの際にズーム釦５のワイド釦５a又はテレ釦５ｂが押圧操作されることにより切り換えられる。ワイド釦５aが押圧操作されるごとに１コマ表示モード〜４コマ表示モードの順に画像再生モードが切り換り、テレ釦を５ｂが押圧操作されるごとに４コマ表示モード〜１コマ表示モードの順に画像再生モードが切り換る。１コマ表示モード又は４コマ表示モードからアルバムモード又は検索モードへの切り換えは、ファンクション釦６を押圧操作することにより表示されるファンクションメニューより「アルバム表示」又は「検索」のメニュー項目を選択することにより切り換る。
【００３５】
＜画像表示処理のメインフロー＞
画像表示モードでの処理のメインフローを図１２に示す。
画像表示処理サブルーチンに入ると、ステップS１００〜S１０２で現在どの再生モードにあるか判定される。再生モードが１コマ表示モードである場合は、ステップｓ１００で肯定されステップS１０３の１コマ表示処理サブルーチンへ移る。再生モードが４コマ表示モードである場合は、ステップS１００で否定、ステップS１０１で肯定されステップS１０４の４コマ表示処理サブルーチンへ移る。再生モードがアルバム表示モードである場合は、ステップS１００で否定、ステップS１０１で否定、ステップS１０２で肯定されステップS１０５のアルバム表示処理サブルーチンへ移る。再生モードが検索モードである場合はステップS１００で否定、ステップS１０１で否定、ステップS１０２で否定されステップS１０６の検索処理サブルーチンへ移る。各ステップS１０３、S１０４、S１０５、S１０６での処理が終了するとステップS１０７へ移る。
【００３６】
ステップｓ１０７では、動作モードが変更された又は電源釦２が押圧操作されたか否かの判定が行なわれる。動作モードが変更された又は電源釦２が押圧操作された場合は静止画撮像処理を終了し、動作モードが変更されていない且つ電源釦２が押圧操作されていない場合は、ステップS１００へ戻る。
【００３７】
＜１コマ表示モード＞
１コマ表示モードでは、記録用静止画像データ、又は記録用動画像データ、後述したトリミング画像データ等の大容量記憶媒体２９に記憶されている画像データを背面液晶１１に１コマづつ表示するモードである。表示画像は、リングセンサ７を回転操作することで、順次切換可能である。なお、１コマ表示モードでは、ズームスイッチ５のTスイッチを押し圧操作することにより表示画像の拡大表示が行なわれる。拡大表示は、１コマ表示状態を基準（拡大率１）としT釦を押し圧操作するたびに拡大率が２倍〜３倍と拡大され、拡大状態時にW釦を押圧操作すると３倍〜２倍と拡大率が下がる。W釦を押圧操作し拡大率がゼロになると通常の１コマ再生に戻る。拡大表示中にレリーズ釦３を押圧操作すると、背面液晶１１に表示されている拡大領域のみがトリミングされたトリミング画像が表示されている画像データとは別に大容量記憶媒体２９に記憶される。記憶されるトリミング画像のファイル名は「RSCN_ｘ.JPG」（なお、ｘ＝０〜９９９９）である。
また、拡大率がゼロの際にWスイッチが押圧操作されると１コマ表示モードから４コマ表示モードに切り換る。
【００３８】
また、１コマ表示モードの際にファンクション釦６を押圧操作することにより、ファンクション処理に移り、背面液晶１１にファンクションメニューC（図１７(e)参照）が表示される。１コマ表示モードで実行可能なファンクションメニューは「アルバム表示」、「アルバム登録」、「検索」である。タッチセンサ７を回転操作することにより、メニューに表示されたユーザーは選択枠４０を任意のメニューに移動させ、決定釦８を押圧操作するとにより選択枠４０で囲まれたメニューを実行できる。「アルバム表示」を選択すると、再生モードがアルバム表示モードに切り換る。「アルバム登録」を選択すると、表示中の画像ファイルを任意のアルバムに登録することができる。アルバム登録処理については、後述のアルバム表示モード又はファンクション処理の説明で詳述する。「検索」を選択すると、再生モードが検索モードに切り換る。
【００３９】
＜４コマ表示モード＞
４コマ表示モードでは、記録用静止画像データ、又は記録用動画像データ、後述したトリミング画像データ等の大容量記憶媒体２９に記憶されている画像データを背面液晶１１に４コマづつ表示するモードである。４コマ表示されている画像のうち、１つの画像が画像を囲む選択枠により選択されており、リングセンサ７を回転操作することで、選択画像（選択枠）を順次切換可能である。なお、４コマ表示モードでは、ズームスイッチ５のTスイッチを押し圧操作することにより１コマ表示モードに切り換る。
【００４０】
また、４コマ表示モードの際にファンクション釦６を押圧操作することにより、ファンクション処理に移り、背面液晶１１にファンクションメニューC（図１７(e)参照）が表示される。４コマ表示モードで実行可能なファンクションメニューは「アルバム表示」、「アルバム登録」、「検索」である。タッチセンサ７を回転操作することにより、メニューに表示されたユーザーは選択枠４０を任意のメニューに移動させ、決定釦８を押圧操作するとにより選択枠４０で囲まれたメニューを実行できる。「アルバム表示」を選択すると、再生モードがアルバム表示モードに切り換る。「アルバム登録」を選択すると、選択中の画像ファイルを任意のアルバムに登録することができる。アルバム登録処理については、後述のファンクション処理の説明で詳述する。「検索」を選択すると、再生モードが検索モードに切り換る。
【００４１】
＜アルバム表示モード＞
アルバム表示モードでは、大容量記憶媒体２９内に記憶された画像データの内のユーザーにより登録された画像を表示するモードである。
【００４２】
アルバム表示モードで表示されるアルバム選択画面を図１７(a)に示す。図１７(a)においては「ALBUM００１」、「ALBUM００２」、「ALBUM００３」の３つのアルバムが存在し、表示されている。
【００４３】
アルバム情報を記したアルバムファイルは、大容量記憶媒体２９のルートディレクトリ内に設けられたALBUMフォルダ内にALBUｚ.NAF（z＝００１〜９９９）のファイル名で各アルバムごとに記憶されている。アルバムファイルは、テキストフォーマットであり、そのアルバムに登録されている画像のファイルパスおよびファイル名（例えば../DCIM/100ABCD/DSC0001.JPG）が記載されている。
【００４４】
ユーザーは、リングセンサ７を回転操作することにより、選択枠４０を任意のアルバムに移動させ、決定釦８を押圧操作することにより、選択枠４０に囲まれたアルバムを選択することができる。アルバムが選択されると、選択されたアルバムに記された画像のみが表示される選択表示処理に移行する。選択表示処理では、検索管理ファイルに記載された画像ファイルを４コマ同時に背面液晶１１に表示する選択画像４コマ表示モードと、検索管理ファイルに記載された画像ファイルを１コマづづ背面液晶１１に表示する選択画像１コマ表示モードとがある。なお、アルバム選択後に選択画像表示処理に移るとまず、選択画像１コマ表示モードで表示される。なお、ズームスイッチ５のTスイッチ又はWスイッチを押し圧操作することにより上述した再生モードと同様に選択画像１コマ表示モードと選択画像４コマ表示モードの切換表示が可能である。
【００４５】
また、アルバム表示モードで、所定のアルバムを選択し、該アルバムの画像を表示している際に、ファンクション釦６を押圧操作することにより、ファンクション処理に移り、背面液晶１１にファンクションメニューA（図１７(ｃ)参照）が表示される。アルバム表示モードで実行可能なファンクションメニューは「検索」、「転送」である。タッチセンサ７を回転操作することにより、メニューに表示されたユーザーは選択枠４０を任意のメニューに移動させ、決定釦８を押圧操作するとにより選択枠４０で囲まれたメニューを実行できる。「検索」を選択すると、再生モードが検索モードに切り換る。「転送」を選択すると、選択中のアルバムに登録されている画像ファイルをPCに転送することができる。転送処理については後述する。
【００４６】
＜検索モード＞
検索モードは、大容量記憶媒体２９内のDCIMフォルダ内に記憶されている画像データを、所定の条件で検索し、該検索された画像データを背面液晶１１に表示するモードである。検索は、画像データのヘッダ領域に記録されている日時や、JPG、MJPG等のファイルフォーマットの種類や、トリミング画像等の画像処理が施され画像等のファイルの種類等を検索条件として実行される。なお、デジタルカメラ１で再生できないファイルについては検索対象としない。
【００４７】
検索モードが実行されると、まず、検索画面に検索メニューが表示される（図１９(a)参照）。図示のごとく、検索メニューには、「最終撮像日」検索処理、「最近１週間」検索処理、「最近１ヶ月」検索処理、「詳細検索」検索処理、「履歴」検索処理が設けられている。ユーザーは、タッチセンサ７を回転操作することにより選択枠４０を任意のメニュー項目に移動させ、決定釦８を押圧操作することにより、選択枠４０に囲まれたメニューの検索処理を実行可能である。
【００４８】
「最終撮影日」検索処理が選択されると、大容量記憶媒体２９のDCIMフォルダ内に記憶されている画像ファイルのヘッダ情報に記された日時の内、最も新しい日付け情報が記された画像ファイルを選出する。具体的には、画像ファイルを撮像するたびに、時刻部より取得した日時データをEEPROM２７に記憶しておき、該EEPROM２７に記憶された日付けが記された画像ファイルのみ選出する。
【００４９】
「最近１週間」検索処理が選択されると、時刻部より日付け読み出し、大容量記憶媒体２９のDCIMフォルダ内に記憶されている画像ファイルの内で、該日付けから７日前までの日付けが記された画像ファイル、つまり、最近１週間に撮像された画像ファイルのみを選出する。「最近１ヶ月」が選択されると、時刻部より日付け読み出し、大容量記憶媒体２９のDCIMフォルダ内に記憶されている画像ファイルの内で、該日付けから３０日前までの日付けが記された画像データ、つまり最近１ヶ月の間に撮像された画像ファイルのみを選出する。
【００５０】
「詳細検索」検索処理が選択されると、背面液晶１１の表示が詳細検索画面に切り換る（図１９(ｂ)参照）。詳細検索画面では、検索ファイルの種類および、検索開始年月日および検索終了年月日の順に選択を行ない、該選択されたファイル種類でかつ検索対象開始年月日と検索対象終了年月日との日付けの間の日付け情報をヘッダ領域にある画像ファイルを大容量記憶媒体２９のDCIMフォルダ内から選出する。
【００５１】
図１９(ｂ)に示したように、まず、選択枠４０がファイル種類を囲み表示さる。ユーザーはリングセンサ７を回転操作することにより、JPG→MJPG→トリミング画像→全て→JPG・・・と選択枠４０内に表示されているファイル種類表示を変更でき、決定釦８押圧操作されると選択枠４０内に表示されているファイルが検索対象ファイル種類として決定される。次に、選択枠４０により検索対象開始年が囲み表示される。ユーザーは、リングセンサ７を回転操作することにより、2005→2004→2003・・・と検索対象開始年を変更でき、決定釦８押圧操作されると選択枠４０内に表示されている検索対象開始年が決定される。同様にして検索対象開始月、検索対象開始日、検索対象終了年、検索対象終了月、ユーザーにより決定され、最後に検索対象終了日が決定されると、現在表示されている検索ファイルおよび検索対象期間を検索条件として、大容量記憶媒体２９のDCIMフォルダ内より画像ファイルが選出される。
【００５２】
上記検索により選出された画像ファイルは、それぞれのファイル名およびファイルパスをまとめた検索管理ファイルとして大容量記憶媒体２９のルートディレクトリ内に設けられたHISTフォルダ内にHISTｚ.NHF（z＝００１〜９９９）のファイル名で一検索ごとに記憶される。検索管理ファイルは、テキストフォーマットであり、選出された画像のファイルパスおよびファイル名（例えば../DCIM/100ABCD/DSC0001.JPG）が、選出された画像分記載されている。なお、検索管理ファイルに上記検索条件も記載しても良い。
【００５３】
検索管理ファイルが作成されると、該検索管理ファイルに記載されている画像ファイルのみが表示される選択表示処理に移行し、検索管理ファイルに記載された画像ファイルが背面液晶１１に表示される。なお、検索終了後に選択画像表示処理に移るとまず、選択画像４コマ表示モードで表示される。
【００５４】
「履歴」検索処理が選択されると、大容量記憶媒体２９のルートディレクトリにあるHISTフォルダ内に保存されている検索管理ファイルを検索し、検索管理ファイルのリストを背面液晶１１に表示する。ユーザーは、背面液晶１１表示された検索管理ファイルから所望の検索管理ファイルを選択する。検索管理ファイルが選択されると該選択された検索管理ファイルに記載された画像ファイルをのみを表示する選択表示処理に移行し、上記と同様にして検索管理ファイルに記載された画像ファイルが背面液晶１１に表示される。ユーザーは「履歴」検索処理を選択することにより、以前に検索した画像ファイルを検索条件（検索対象期間、検索対象ファイル種類等）を入力せずに表示可能となり、すばやく任意の画像を確認可能となる。なお、検索管理ファイルに検索条件（検索対象期間、検索対象ファイル種類等）が記録されている際は、「履歴」検索処理において選択された検索管理ファイルに記載された検索条件により大容量記憶媒体２９のDCIMフォルダ内の画像ファイルを再検索し該検索ファイルに記載されている、画像ファイルを更新しても良い。これにより、大容量記憶媒体２９のDCIMフォルダ内の画像ファイルを、ユーザーが任意に設定した検索条件によりすばやく検索可能となり、スムーズに任意の画像を確認可能となる。
【００５５】
また、検索モードで、検索結果画像を表示している際に、ファンクション釦６を押圧操作することにより、ファンクション処理に移り、背面液晶１１にファンクションメニューB（図１７(ｄ)参照）が表示される。アルバム表示モードで実行可能なファンクションメニューは「アルバム表示」、「アルバム登録」、「転送」である。タッチセンサ７を回転操作することにより、メニューに表示されたユーザーは選択枠４０を任意のメニューに移動させ、決定釦８を押圧操作するとにより選択枠４０で囲まれたメニューを実行できる。「アルバム表示」を選択すると、再生モードがアルバム表示モードに切り換る。「アルバム登録」を選択すると、選択中の画像ファイルを任意のアルバムに登録することができる。アルバム登録処理については、後述のファンクション処理の説明で詳述する。「転送」を選択すると、検索により選出された画像ファイルをPCに転送することができる。転送処理については後述する。
【００５６】
上述したように本実施の形態におけるデジタルカメラ１は、最終撮影日、最近１週間、最近１ヶ月を選択することにより、ユーザーは検索条件が入力する必要がなく、検索がスムーズに行なえる。また、ファイルフォーマットや、トリミング画像等ファイルの種類により検索することができるため、所望のファイルをファイルを素早く検索閲覧できる。  
【００５７】
また、検索領域として大容量記憶媒体２９の記憶領域のうち、画像を管理するDCIMフォルダ以外の領域にデジタルカメラ１で用いられないファイルおよびフォルダがある場合であっても、DCIMフォルダ内の画像ファイルのみ検索対象としているため、効率良く検索することがでる。
【００５８】
＜画像表示処理のメインフロー＞
画像表示モードのメイン処理についてフローを図１２を用いて説明する。
画像表示処理サブルーチンに入ると、ステップS１００〜S１０２で、現在の再生モードがどのモードであるかが判定される。再生モードが１コマ表示モードである場合は、ステップS１００で肯定され１コマ表示処理サブルーチンへ移る。再生モードが４コマ表示モードである場合はステップS１００で否定、ステップS１０１で肯定されステップS１０４の４コマ表示処理サブルーチンへ移る。再生モードがアルバム表示モードである場合はステップS１００で否定、ステップS１０１で否定、ステップS１０２で肯定されステップS１０５のアルバム表示処理サブルーチンへ移る。再生モードが検索モードである場合はステップS１００で否定、ステップS１０１で否定、ステップS１０２で否定されステップS１０６の検索処理サブルーチンへ移る。
【００５９】
ステップS１０３、S１０４、S１０５、S１０６の各サブルーチンが終了するとステップS１０７へ移る。ステップS１０７では、動作モードが変更された又は電源釦２が押圧操作されたか否かの判定が行なわれる。動作モードが変更された又は電源釦２が押圧操作された場合は画像表示処理サブルーチンを終了し、動作モードが変更されていない且つ電源釦２が押圧操作されていない場合は、ステップS１００へ戻る。
【００６０】
＜１コマ表示モードのフロー＞
１コマ表示モードにおける処理のフローを図１３に示す。
１コマ表示処理サブルーチンにはいると、まず、ステップS１１０で大容量記憶媒体２９に最後に記憶された画像ファイルを背面液晶１１に１コマ表示する。ステップS１１１ではTスイッチが押圧操作されたか否かの判定が行なわれる。Tスイッチが押圧操作された場合はステップS１１２の拡大表示処理サブルーチンへ移り、Tスイッチが押圧操作されていない場合はステップS１１３へ移る。
【００６１】
＜拡大表示処理＞
拡大表示処理のフローを図１６に示す。拡大表示処理サブルーチンに移ると、まず、ステップS１４０でステップ１コマ表示処理の際に表示されていた画像を拡大率２倍として背面液晶１１に表示する。ステップS１４１ではTスイッチ（T釦）が押圧操作されたか否かの判定が行なわれる。Tスイッチが押圧操作された場合はステップS１４２へ移り、Tスイッチが押圧操作されていない場合はステップS１４３へ移る。ステップS１４２では拡大率を２倍した拡大率で画像を背面液晶１１へ表示する。
【００６２】
ステップS１４３ではWスイッチが押圧操作されたか否かが判定される。Wスイッチが押圧操作された場合はステップS１４４へ移り、Wスイッチが押圧操作されていない場合はステップS１４６へ移る。ステップS１４４では、拡大率に１/２かけた拡大率で画像を背面液晶１１へ表示する。次にステップS１４５で現在の拡大率が１か否かが判定される。拡大率が１の場合は拡大表示処理サブルーチンを終了し、拡大率が１でない場合はステップS１４６へ移る。ステップS１４６では、レリーズ釦３が押圧操作されたか否かの判定が行なわれる。レリーズ釦３が全押操作された場合はステップS１４７へ移り、レリーズ釦３が全押操作されていない場合はステップS１４８へ移る。ステップS１４７では、現在、背面液晶１１に表示されている画像領域をトリミングしたトリミング画像を作成し、大容量記憶記憶媒体に記憶したのち、拡大表示処理サブルーチンを終了する。ステップS１４８では、上下左右釦７a〜７ｄが押圧操作されたか否かが判定される。上下左右釦７a〜７ｄが押圧操作された場合ステップS１４９へ移り、上下左右釦７a〜７ｄが押圧操作されていない場合はステップS１５０へ移る。ステップS１４９では、押圧操作された上下左右釦７a〜７ｄに応じて背面液晶１１へ表示している拡大画像の表示領域を変更する。
【００６３】
ステップS１５０では、動作モードが変更された又は電源釦２が押圧操作されたか否かの判定が行なわれる。動作モードが変更された又は電源釦２が押圧操作された場合は拡大表示処理サブルーチンを終了し１コマ表示処理サブルーチンのステップS１１３へ移り、動作モードが変更されていない且つ電源釦２が押圧操作されていない場合は、ステップS１４１へ戻る。
【００６４】
１コマ表示処理サブルーチンの説明に戻る。
ステップS１１３では、ファンクション釦６が押圧操作されたか否かが判定される。ファンクション釦６が押圧操作された場合はステップS１１４のファンクション処理サブルーチンへ移り、ファンクション釦６が押圧操作されていない場合はステップS１１５へ移る。
【００６５】
ステップS１１４でのファンクション処理サブルーチンでの処理については後述する。ステップS１１５ではリングセンサ７が回転操作されたか否かの判定が行なわれる。リングセンサ７が回転操作された場合はステップS１１６へ移り、リングセンサ７が回転操作されていない場合はステップS１１７へ移る。ステップS１１６では、リングセンサ７の回転操作に応じて、背面液晶１１に表示する画像ファイルを変更する。ステップS１１７では、動作又は表示モードが変更された又は電源釦２が押圧操作されたか否かの判定が行なわれる。動作又は表示モードが変更された又は電源釦２が押圧操作された場合は１コマ表示処理サブルーチンを終了し、動作又は表示モードが変更されていない且つ電源釦２が押圧操作されていない場合は、ステップS１１１へ戻る。
【００６６】
＜４コマ表示モードのフロー＞
４コマ表示モードにおける処理のフローを図１４に示す。
４コマ表示処理サブルーチンにはいると、まず、ステップS１２１で大容量記憶媒体２９に記憶された画像ファイルを背面液晶１１に４コマ同時に表示する。
【００６７】
ステップS１２２では、ファンクション釦６が押圧操作されたか否かが判定される。ファンクション釦６が押圧操作された場合はステップS１２３のファンクション処理サブルーチンへ移り、ファンクション釦６が押圧操作されていない場合はステップS１２４へ移る。
【００６８】
ステップS１２３でのファンクション処理サブルーチンでの処理については後述する。ステップS１２４ではリングセンサ７が回転操作されたか否かの判定が行なわれる。リングセンサ７が回転操作された場合はステップS１２５へ移り、リングセンサ７が回転操作されていない場合はステップS１２６へ移る。ステップS１２５では、リングセンサ７の回転操作に応じて、背面液晶１１に表示された画像のうちの選択画像ファイルを変更する。ステップS１２６では、動作又は表示モードが変更された又は電源釦２が押圧操作されたか否かの判定が行なわれる。動作又は表示モードが変更された又は電源釦２が押圧操作された場合は４コマ表示処理サブルーチンを終了し、動作又は表示モードが変更されていない且つ電源釦２が押圧操作されていない場合は、ステップS１２２へ戻る。
【００６９】
＜アルバム表示モードのフロー＞
アルバム表示モードにおける処理のフローを図１５に示す。
アルバム表示サブルーチンに入ると、ステップS１３０で、大容量記憶媒体２９のルート領域にあるALBUMフォルダ内にあるアルバムファイルを検索し、該検索されたアルバムファイルのアルバム名を表示するアルバム選択画面（図１７(a)参照）を背面液晶１１に表示する。ユーザーは、リングセンサ７を回転操作することにより、選択枠４０を任意のアルバムに移動させ、決定釦８を押圧操作することにより、選択枠４０に囲まれたアルバムを選択することができる。  ステップS１３１では、アルバムが選択されたか否かが判定される。アルバムが選択された場合はステップS１３２へ移り、アルバムが選択されていない場合は待機する。ステップS１３２では、選択されたアルバムのアルバムファイルを表示リストしてRAM２５に記憶し、選択画像表示処理での選択画像表示モードを１コマ表示に設定した後にステップS１３３の選択画像表示処理サブルーチンに移り、アルバムファイルに登録されている画像ファイルが表示される。選択画像表示処理サブルーチンについては後述する。ステップS１３３の選択画像表示処理サブルーチンが終了するとアルバム表示処理サブルーチンが終了する。
【００７０】
＜選択画像表示処理サブルーチン＞
選択画像表示処理における処理のフローを図２０に示す。
選択画像表示処理では、RAM２５に記憶されている表示リストにある画像ファイルのみを表示する。ステップS１８０では、選択画像表示モードが４コマ表示モードか否かが判定される。
【００７１】
選択画像表示モードが４コマ表示である場合はステップS１８１へ移り、選択画像表示モードが４コマ表示でない、つまり１コマ表示モードである場合はステップS１８８へ移る。
ステップS１８１では、RAM２５より表示リストを読み込み、表示可能な画像を該表示リストに記載された画像のみに設定する。ステップS１８２では、大容量記憶媒体２９に記憶された画像ファイルの内の、表示リストに記載された画像を背面液晶１１に４コマ表示する。ステップS１８３では、ファンクション釦６が押圧操作されたか否かが判定される。ファンクション釦６が押圧操作された場合はステップS１８４のファンクション処理サブルーチンへ移り、ファンクション釦６が押圧操作されていない場合はステップS１８５へ移る。
【００７２】
ステップS１８４でのファンクション処理サブルーチンでの処理については後述する。ステップS１８５ではリングセンサ７が回転操作されたか否かの判定が行なわれる。リングセンサ７が回転操作された場合はステップS１８６へ移り、リングセンサ７が回転操作されていない場合はステップS１８７へ移る。ステップS１８６では、リングセンサ７の回転操作に応じて、背面液晶１１に表示された画像のうちの選択画像ファイルを変更する。ステップS１８７では、動作又は選択画像表示モードが変更された又は電源釦２が押圧操作されたか否かの判定が行なわれる。動作又は選択画像表示モードが変更された又は電源釦２が押圧操作された場合はステップS１９７へ移り、動作又は選択画像表示モードが変更されていない且つ電源釦２が押圧操作されていない場合は、ステップS１８３へ戻る。なお選択画像表示モードが終了する際にはRAM２５に記憶された表示リストは削除される。
【００７３】
＜検索モードのフロー＞
検索モードにおける処理のフローを図１８に示す。
検索モードに入るとまず検索メニュー項目を表示する検索画面（図１９(a)参照）を背面液晶１１に表示する。ユーザーは、タッチセンサ７を回転操作することにより選択枠４０を任意のメニューに移動させ、決定釦８を押圧操作することにより、選択枠４０に囲まれたメニュー項目が選択される。次にステップS１６１〜ステップS１６５で、どの検索メニュー項目が選択されたかが判定される。「詳細検索」が選択された場合は、ステップS１６１で肯定されステップS１６６へ移る。「最終撮影日」が選択された場合は、ステップS１６１で否定され、ステップS１６２で肯定されステップS１６８へ移る。「最近１週間」が選択された場合は、ステップS１６１で否定、ステップS１６２で否定、ステップS１６３で肯定されステップS１６９へ移る。「最近１ヶ月」が選択された場合はステップS１６１で否定、ステップS１６２で否定、ステップS１６３で否定、ステップS１６４で肯定されステップS１７０へ移る。「履歴」が選択された場合はステップS１６１で否定、ステップS１６２で否定、ステップS１６３で否定、ステップS１６４で否定、ステップS１６５で肯定されステップS１７４へ移る。なお、検索メニュー項目が選択されるまでステップS１６１〜ステップS１６５の判定を繰り返す。
【００７４】
ステップS１６６では、背面液晶１１に詳細検索画面（図１９(ｂ)参照）を表示させ、検索するファイルの種類をユーザーに選択させる。ユーザーは「JPG」、「MJPG」、「トリミング画像」、「全て」から検索対象とするファイルを設定する。ステップS１６７では検索対象期間を選択させる。ユーザーは検索対象開始日時および検索対象終了日時を設定する。
【００７５】
ステップS１６８では、EEEROM２７より最終撮影日を読み込み検索対象をもっとも検索対象を該最終撮影日の画像に設定する。ステップS１６９では、計時部より日付を読み出し、該日時から７日前までの日付を検索対象期間に設定する。ステップS１７０では、計時部より日付を読み出し、該日時から３０日前までの日付を検索対象期間に設定する。ステップS１６７、S１６８、S１６９、での処理が終わるとステップS１７１へ移る。
【００７６】
ステップS１７１では、ステップS１６６、S１６７、S１６８、S１６９で設定された検索対象ファイル、検索対象期間より検索条件を作成する。ステップS１７２では、検索条件を基に大容量記憶媒体２９のDCIMフォルダ内の画像ファイルを検索し、検索条件に合致する画像ファイルのファイル名およびファイルパスを記載した検索管理ファイルを作成する。ステップS１７３では、作成された検索管理ファイルを大容量記憶媒体２９のDCIMフォルダ内に記憶すると共に、該検索管理ファイルを基に表示リストを作成しRAM２５に記憶する。ステップS１７３が終了するとステップS１７７の選択画像表示処理サブルーチンへ移る。
【００７７】
ステップS１７４では、大容量記憶媒体２９のHISTフォルダに検索管理ファイルが保存されているか否かが判定される。検索管理ファイルが保存されていない場合はステップS１６１へ戻り、検索管理ファイルが保存されている場合はステップS１７５へ移る。ステップS１７５では大容量記憶媒体２９のHISTフォルダに検索管理ファイルを示す検索管理リストファイルを背面液晶１１に表示する。ステップS１７６では、ユーザーにより検索管理ファイルが選択されると該選択された検索管理ファイルより表示リストが作成されRAM２５に記憶された後にステップS１７７の選択画像表示処理サブルーチンへ移る。
【００７８】
ステップS１７７での選択画像表示処理処理サブルーチンでは、検索管理ファイルに記載された画像ファイルが背面液晶１１に表示される。ステップS１７７の選択画像表示サブルーチンが終了すると検索処理サブルーチンを終了する。
【００７９】
＜ファンクション処理＞
上述した画像表示モードの際にファンクション釦６が押圧操作されることにより呼び出されるファンクション処理について説明する。
【００８０】
ファンクション処理では、アルバム表示モード切換処理、検索モード切換処理、転送準備処理、アルバム登録処理が行われる。
再生モードがアルバム表示モードの際にファンクション釦６が押圧操作されると、ファンクションメニューA（図１７(ｃ)参照）が背面液晶１１に表示される。この場合、実行可能な処理は「検索」処理と「検索」処理でありファンクションメニューAにはこれらの項目のみ表示される。
【００８１】
再生モードが検索モードの際にファンクション釦６が押圧操作されると、ファンクションメニューB（図１７(ｄ)参照）が背面液晶１１に表示される。この場合、実行可能な処理は「アルバム表示」処理と「アルバム登録」処理、「転送」処理でありファンクションメニューBにはこれらの項目のみ表示される。
【００８２】
再生モードが１コマ表示モードまたは４コマ表示モードの際にファンクション釦６が押圧操作されると、ファンクションメニューC（図１７(e)参照）が背面液晶１１に表示される。この場合、実行可能な処理は「アルバム表示」処理と「アルバム登録」処理、「検索」処理でありファンクションメニューCにはこれらの項目のみ表示される。
【００８３】
上述したファンクションメニューで「アルバム表示」を選択するとアルバム表示モード切換処理が行われ、再生モードがアルバム表示モードに切換えられる。上述したファンクションメニューで「検索」を選択すると検索モード切換処理が行われ、再生モードが検索モードに切換えられる。
【００８４】
上述したファンクションメニューで「転送」を選択すると転送処理が行われる。転送処理では、アルバムモードの場合は表示中のアルバムのアルバムファイルまたは検索モードの場合は表示中の画像ファイルが登録されている検索管理ファイルに記載されている画像ファイルが一括してPCに送信するための送信リストが作成される。送信リストは、アルバムファイルや検索管理ファイルと同様に送信する画像ファイルのファイル名およびファイルパスが記載されている。送信リストが作成されると、該送信リストに記載されている画像ファイルは、デジタルカメラ１とPCとが接続された際にPCへ送信される。なお、検索モードの際は、検索管理ファイルに記載されている画像ファイルを基にアルバムファイルが作成され、大容量記憶媒体２９のALBUMフォルダに記憶される。
【００８５】
上述したファンクションメニューで「アルバム登録」を選択するとアルバム登録処理が行われる。アルバム登録処理では、１コマ表示モードで表示中の画像ファイルまたは４コマ表示モードで選択中の画像ファイルまたは検索モードで検索された画像ファイル全てを所望のアルバムに登録するアルバム登録処理が行われる。
【００８６】
＜ファンクション処理のフロー＞
ファンクション処理のフローを図２１に示す。
ファンクション処理サブルーチンに入ると、ステップS２００で再生モードがアルバムモードか否かが判定される。再生モードがアルバムモードの場合はステップS２０１へ移り背面液晶１１にファンクションメニューAを表示し、再生モードがアルバムモードでない場合はステップS２０２へ移る。ステップS２０２では、再生モードが検索モードであるか否かが判定される。再生モードが検索モードである場合はステップS２０３に移り背面液晶１１にファンクションメニューBを表示し、再生モードがアルバムモードでない場合はステップS２０４へ移り背面液晶１１にファンクションメニューCを表示する。
【００８７】
次にステップS２０５では、「アルバム表示」処理が選択されたか否かが判定される。「アルバム表示」処理が選択された場合は、ステップS２０６へ移り再生モードをアルバム表示モードに切り替えファンクション処理サブルーチンを終了し、「アルバム表示」処理が選択されていない場合はステップS２０７へ移る。ステップS２０７では、「検索」処理が選択されたか否かが判定される。「検索」処理が選択された場合は、ステップS２０８へ移り再生モードを検索モードに切り替えファンクション処理サブルーチンを終了し、「検索」処理が選択されていない場合はステップS２０９へ移る。
【００８８】
ステップS２０９では、「転送」処理が選択されたか否かが判定される。「転送」処理が選択された場合はステップS２１０へ移り、「転送」処理が選択されていない場合はステップS２１６へ移る。ステップS２１６では、「アルバム登録」処理が選択されたか否かが判定される。「アルバム登録」処理が選択された場合はステップS２１７へ移り、「アルバム登録」処理が選択されていない場合はステップS２２４へ移る。ステップS２２４では、ファンクション釦６が押圧操作されたか否かが判定される。ファンクション釦６が押圧操作された場合はファンクション処理サブルーチンを終了し、ファンクション釦６が押圧操作されていない場合はステップS２０５へ戻る。
【００８９】
ステップS２１０では再生モードが検索モードか否かが判定される。再生モードが検索モードである場合はステップS２１１へ移り、再生モードが検索モードでない場合はステップS２１２へ移る。ステップS２１１では、表示中の画像ファイルが登録されている検索管理ファイルよりアルバムファイルを作成し、該アルバムファイルを大容量記憶媒体２９のALBUMフォルダに記憶する。ステップS２１２では、アルバムモードの場合は表示中のアルバムのアルバムファイルまたは検索モードの場合は表示中の画像ファイルが登録されている検索管理ファイルより送信リストを作成し、EEPROM２７に記憶する。ステップS２１３では、「ファイルを今すぐ転送するか」かの表示を行い、今すぐ転送する決定がされたか否かが判定される。ファイルを今すぐ転送する決定がされた場合はステップS２１４へ移り、ファイルを今すぐ転送する決定がされなかった場合にはファンクション処理サブルーチンを終了する。ステップS２１４では背面液晶１１に、USBでPCと接続するよう表示し、ステップS２１５の転送処理サブルーチンへ移る。転送処理サブルーチンでは、EEPROM２７に記憶された転送リストに基づきPCに画像ファイルを転送する。転送処理サブルーチンは後述する。ステップS２１５の転送処理サブルーチンが終了するとファンクション処理サブルーチンが終了する。
【００９０】
ステップS２１７では、大容量記憶媒体２９のALBUMフォルダに記憶されているアルバムファイルを検索し、検索されたアルバムファイル名および「アルバム新作成」が成示されたアルバム登録画面（図１７(ｂ)参照）が背面液晶４０に表示される表示される。ステップS２１８では、アルバム登録画面にて選択操作がされたか否かが判定される。選択操作がされた場合はステップS２１９へ移り、選択操作がされていない場合はステップS２１７へ戻る。ステップS２１９では、選択操作により「アルバム新規作成」が選択されたか否かの判定が行われる。「アルバム新規作成」が選択された場合はステップS２２０へ移り、「アルバム新規作成」が選択されていない場合はステップS２２１へ移る。ステップｓ２２０ではアルバムファイルを新規に作成し、大容量記憶媒体２９のALBUMフォルダに記憶し、該作成されたアルバムファイルを選択する。ステップS２２１では、RAM２５に表示リストがあるか否かが判定される。RAM２５に表示リストがある場合はステップS２２３へ移り、RAM２５に表示リストがない場合はステップS２２２へ移る。ステップS２２２では、１コマ表示モードの場合は表示されていた画像ファイルを、４コマ表示モードの場合は選択されていた画像ファイルの画像ファイル名およびファイルパスを選択されたアルバムファイル追加で書込みステップS２２４へ移る。ステップS２２３では、RAM23に記憶されている表示リストに記載されている画像ファイルのファイル名およびファイルパス全てを、選択されたアルバムファイルに追加で書込む。
【００９１】
＜転送処理＞
本発明におけるデジタルカメラ１は、入出力端子１２とPCを接続ケーブルで接続することによりPCとデータ通信が可能である。PC周知のパーソナルコンピューターであり、表示部、入力部、記憶媒体、制御部やデジタルカメラとの接続端子等がもうけられている。PCには、デジタルカメラ１と接続し画像ファイルを送受信する画像管理ソフトウエアが組み込まれている。画像管理ソフトウエアは、PCの記憶媒体に記憶されている画像ファイルをPCの表示部に表示可能であり、また画像管理ソフトウエアは、記憶媒体に記憶されている画像ファイルのファイル名およびファイルパスが記載されてアルバムファイルが作成可能であり、該アルバムファイルに記載された画像ファイルのみ表示部に表示するアルバム表示モードを持っている。
【００９２】
＜デジタルカメラ１からPCへの画像ファイル送信処理＞
デジタルカメラ１からPCへの画像ファイル送信処理について説明する。
上述したように、本実施の形態におけるデジタルカメラ１は、アルバム表示モードや、検索モードの際に、ファンクションメニューより「検索」処理を選択することにより、表示中のアルバムファイル又は表示中の画像ファイルが登録されている検索管理ファイルに記載されている画像ファイルを転送リストとして一括してPCに転送することができる。
【００９３】
PCの画像管理ソフトウエアでは、デジタルカメラ１より受信したファイルのリストを作成し、該受信リストを基にアルバムファイルを作成する。
＜PCからデジタルカメラ１への画像ファイル送信処理＞
PCからデジタルカメラ１への画像ファイル送信処理について説明する。
【００９４】
PCからデジタルカメラ１に画像ファイルを送信するには、まず、画像管理ソフトウエアでPCリンクウインドウ３０を開く。PCリンクウインド３０が開かれ、PCの表示部に表示された様子を図１１に示す。デジタルカメラ１がPCに接続されると、PCリンクウインドウに、デジタルカメラ１の大容量記憶媒体のDCIMフォルダ内にある、PCからコピーされたコピーフォルダ３１が表示される。
【００９５】
PCよりデジタルカメラ１へ画像ファイルを転送する際には、画像管理ソフトウエアを操作し、画像ファイル転送するための新規転送用のNEWフォルダ３２をPCリンクフォルダ３０内に作成し、NEWフォルダ３２内に転送したい画像ファイルをコピーする。なお、NEWフォルダ３２にコピーされる画像ファイルは、デジタルカメラ１で表示可能なファイルかがチェックされ、表示できない画像ファイルである場合は、該画像ファイルをデジタルカメラ１で表示可能なファイル形式に変換したのちコピーする。次に、PCの画像管理ソフトウエアを操作し、転送処理を開始させる。転送処理が開始されると、デジタルカメラ１の大容量記憶媒体２９のDCIMフォルダ内に新規フォルダが作成され（103_COPY）、該作成されたフォルダに、PCリンクフォルダ３０のNEWフォルダ３２内の画像ファイルが転送される。転送が終了すると、NEWフォルダ３２のフォルダ名を、デジタルカメラ１のDCIMフォルダ内に設けた新規フォルダ名（103_COPY）と同じ名前に変更しコピーフォルダとしてPCリンクウインド３０に登録される。
【００９６】
また、上記のごとくPCから画像ファイルを受信終了後に、デジタルカメラ１は、PCより受信および記録した画像ファイルのファイル名およびファイルパスを記載したアルバムファイルを作成し、大容量記憶媒体２９内のALBUMフォルダに記憶する。
【００９７】
なお、デジタルカメラ１がPCと接続された際に、上述したコピーフォルダ３１（例えば102_COPYとする）の内容は接続されたデジタルカメラ１の大容量記憶媒体２９のDCIMフォルダ内の一致するフォルダ（102_COPY）の内容と同様となるように変更しても良い。
【００９８】
また、コピーフォルダ３１に、新規に画像を追加しても良い。この場合は、新規に追加された画像については、デジタルカメラ１とPCとの接続時にデジタルカメラ１に転送される。
【００９９】
上述したように、アルバム表示モードや、検索モードの際に、ファンクションメニューより「検索」処理を選択することにより、表示中のアルバムファイル又は表示中の画像ファイルが登録されている検索管理ファイルに記載されている画像ファイルを一括してPCに転送した画像ファイルは、デジタルカメラ１、PCそれぞれでアルバムファイルに登録される。そのため、デジタルカメラ１とPC間で画像の対応関係が明確になり、ユーザーはデジタルカメラ１、PCでの画像管理をより効率的に行なうことができる。
【０１００】
＜転送メイン処理＞
転送処理にメインフローを図６に示す。
転送処理サブルーチンが開始されると、ステップS５０でまずPCとの接続処理が行なわれる。ステップS５１ではPCとの接続処理が完了したか否かが判定される。PCとの接続処理が完了している場合はステップS５３へ移り、PCとの接続処理が完了していない場合はステップS５２へ移る。ステップS５２では、転送処理サブルーチンに入ってから所定時間経過したか否かの判定を行う。所定時間経過している場合は、転送処理サブルーチンを終了し、所定時間経過していない場合はステップS５０へ戻る。
【０１０１】
ステップS５３では、EEPROM２７に送信リストがあるか否かの判定が行なわれる。EEPROM２７に送信リストがある場合はステップS５６の送信モード処理サブルーチンへ移り、EEPROM２７に送信リストがない場合はステップS５４へ移る。ステップS５４ではPCからのファイル受信指令を受けたか否かの判定を行う。PCからのファイル受信指令を受けた場合はステップS５７の受信モード処理サブルーチンへ移り、PCからのファイル受信指令を受けていない場合はステップS５５へ移る。ステップS５５では、電源釦２が押圧操作されたか又はモード（動作モード、再生モード）が変更されたか否かの判定が行なわれる。電源釦２が押圧操作されたか又はモードが変更された場合は転送処理サブルーチンを終了し、電源釦２が押圧操作されていなく且つモードが変更されていない場合はステップS５３へ移る。
【０１０２】
＜送信モード処理のフロー＞
送信モード処理のフローを図７に示す。
転送モード処理サブルーチンへ移ると、まず、ステップS６０でEEPROM６０に転送リストBが記憶されているか否かの判定を行う。EEPROM６０に転送リストBが記憶されている場合はステップS６１へ移り転送リストBを読み込み、EEPROM６０に転送リストBが記憶されていない場合はステップS６２へ移り転送リストAを読込む。ステップS６３では、PCへファイル受信指令を送信する等PCとのデータ通信を開始するための通信準備処理が行なわれる。通信準備処理が終了するとステップS６４で、ステップS６１又はS６２で読込んだ転送リストに記載されている画像ファイルのPCへの送信を開始する。ステップS６５では、PCへのファイル送信が完了したか否かが判定される。PCへのファイル送信が完了している場合は、PCへ送信完了指令を送信し、使用した送信リストを削除して送信モード処理を終了し、PCへのファイル送信が完了していない場合はファイル送信が完了するまで待機する。
【０１０３】
上記のごとく、本実施の形態におけるデジタルカメラ１は、送信モードの際に転送リストAがあっても転送リストBを優先的に送信することができる。これにより、通常の転送処理とは別に、アルバムファイル、検索管理ファイルに記載の画像ファイルをPCに転送できる。
【０１０４】
＜受信指令を受けたPCの受信処理のフロー＞
ステップS６３でのデジタルカメラ１から送信された受信指令を受けたPCでのファイル受信処理のフローを図９に示す。
【０１０５】
デジタルカメラ１からの受信指令を受信すると、受信処理が開始される。まずステップS８０で、デジタルカメラ１との通信準備処理を行なわれる。ステップS８１で、ファイル
を受信するまで待機し、ファイルを受信すると受信処理を開始し、ステップS８２へ移る。ステップS８２では受信中のファイルが受信完了するまで待機し、受信完了するとステップS８３へ移る。ステップS８３では受信した画像ファイルの受信ファイルリストに書込む。ステップS８４で受信した画像ファイルをPCの所定の画像記憶領域に記憶する。ステップS８５では、デジタルカメラ１から受信完了指令を受信したか否かの判定が行なわれる。受信完了指令を受信した場合はステップS８６へ移り、受信完了指令を受信していない場合はステップS８１へ戻る。ステップS８６では受信ファイルリストよりアルバムファイルを作成し、PCの所定のアルバムファイル記憶領域に記憶する。
【０１０６】
＜受信モード処理のフロー＞
PCからのファイル受信処理のフローを図８に示す。
受信モード処理サブルーチンへ入ると、まず、ステップS７０で、PCとのデータ通信を開始するための通信準備処理が行なわれる。ステップS７１では、大容量記憶媒体２９のDCIMフォルダ内に新規にフォルダ（例えば１０２_COPY）を作成する。ステップS７２では、ステップS７１で作成したフォルダのフォルダ名をPCに送信する。ステップS７３ではPCから送信された画像ファイルを受信するまで待機し、PCからの画像ファイルを受信すると受信処理が開始される。次にステップS74で受信中のファイルの受信が完了するまで待機し、受信が完了するとステップS７５へ移る。ステップS７５では、受信完了したファイルのファイル名を受信リストに記録する。ステップS７６では、受信完了した画像ファイルを上記新規作成されたフォルダ（例えば１０２_COPY）にコピーする。
【０１０７】
ステップS７７では、PCからの送信完了指令を受信したか否かの判定が行なわれる。送信完了指令を受信した場合はステップS７８へ移り、送信完了指令を受信していない場合はステップS７３へ戻る。ステップS７８では、受信リストを基にアルバムファイルを作成し大容量記憶媒体２９のALBUMフォルダに新規に記憶する。
【０１０８】
＜デジタルカメラに画像ファイルを送信するPCの送信処理のフロー＞
デジタルカメラ１に画像ファイルを送信する際のPCの送信処理のフローを図１０(a)に示す。
【０１０９】
PCでデジタルカメラ１への送信処理が開始されると、まずステップS９０で、デジタルカメラ１への受信指令の送信や、デジタルカメラ１からのフォルダ名の受信等の送信開始処理が行なわれる。ステップS９１では、送信用ファイル内の画像を順次デジタルカメラ１に送信する。ステップS９２では、送信用フォルダ内の画像が全てデジタルカメラ１に送信されるまで待機し、全ての画像が送信完了すると、デジタルカメラ１に送信完了指令を送りステップS９３へ移る。ステップS９３では転送用フォルダのフォルダ名を、デジタルカメラ１から受信したフォルダ名に変更し、送信処理を終了する。
【０１１０】
以上、本発明をレンズ一体型デジタルカメラに適用した場合について説明したが、これに限るものでは無く、本発明をレンズ着脱式デジタルカメラや、ビデオカメラ等の撮像装置に適用しても良い。
【図面の簡単な説明】
【０１１１】
【図１】デジタルカメラ１の斜視図
【図２】デジタルカメラ１のブロック図
【図３】デジタルカメラ１のメイン処理
【図４】静止画撮像処理サブルーチンでの処理のフロー
【図５】動画撮像処理サブルーチンでの処理のフロー
【図６】転送処理のメインフロー
【図７】送信モード処理のフロー
【図８】PCからのファイル受信処理のフロー
【図９】受信処理のフロー
【図１０】デジタルカメラ１に画像ファイルを送信する際のPCの送信処理のフロー
【図１１】PCリンクウインド
【図１２】画像表示モードでの処理のメインフロー
【図１３】１コマ表示モードにおける処理のフロー
【図１４】４コマ表示モードにおける処理のフロー
【図１５】アルバム表示モードにおける処理のフロー
【図１６】拡大表示処理のフロー
【図１７】アルバムメニューおよびファンクションメニュー
【図１８】検索モードにおける処理のフロー
【図１９】検索メニュー
【図２０】選択画像表示処理における処理のフロー
【図２１】ファンクション処理のフロー
【符号の説明】
【０１１２】
１  デジタルカメラ
２  電源釦
３  レリーズ釦
４  モード切換スイッチ
５  ズームスイッチ
６  ファンクション釦
７  リングセンサ
８  決定釦
９  メニュー釦
１０  削除釦
１１  背面液晶
１２  入出力端子
２０  制御部
２１  撮像素子
２２  画像処理部
２３  液晶制御部
２５  RAM
２６  ROM
２７  EEPROM
２８  外部メモリ
２９  大容量記憶媒体
３０  操作部
３１  入出力部
【図１】
2006311091.tif 000003
【図２】
2006311091.tif 000004
【図３】
2006311091.tif 000005
【図４】
2006311091.tif 000006
【図５】
2006311091.tif 000007
【図６】
2006311091.tif 000008
【図７】
2006311091.tif 000009
【図８】
2006311091.tif 000010
【図９】
2006311091.tif 000011
【図１０】
2006311091.tif 000012
【図１１】
2006311091.tif 000013
【図１２】
2006311091.tif 000014
【図１３】
2006311091.tif 000015
【図１４】
2006311091.tif 000016
【図１５】
2006311091.tif 000017
【図１６】
2006311091.tif 000018
【図１７】
2006311091.tif 000019
【図１８】
2006311091.tif 000020
【図１９】
2006311091.tif 000021
【図２０】
2006311091.tif 000022
【図２１】
2006311091.tif 000023